(57)【要約】【課題】毎日服用される薬や病気の時のみ服用される薬が混在する場合であっても、特定の薬を区別可能とするためのドラッグボトル用キャップを提供することである。【解決手段】本発明にかかるドラッグボトル用キャップは、人形部１００とキャップ部２００とを備える。人形部１００は、キャップ部２００から取り外して、他のキャラクターに変更することができる人形である。また、キャップ部２００は、薬の瓶容器の蓋に被せられ、当該薬の瓶容器の蓋を保護する役割を果たす。ユーザは、好みのキャラクターの人形部１００を有するドラッグボトル用キャップを、特定の薬の瓶容器に目印として被せることで、他の薬と当該特定の薬とを区別することができるようになる。【選択図】　　　　図１
2004026195.tif 000002
【特許請求の範囲】
【請求項１】
薬の瓶の蓋に被せられるドラッグボトル用キャップであって、
薬の瓶の蓋を保護するキャップ部と、
前記キャップ部の上に設けられた人形部とを備える、ドラッグボトル用キャップ。
【請求項２】
前記人形部は、前記キャップ部から取り外し可能であることを特徴とする、請求項１に記載のドラッグボトル用キャップ。
【請求項３】
前記キャップ部は、側面および上面を有し、かつ、底面を有さない円筒であることを特徴とする、請求項１に記載のドラッグボトル用キャップ。
【請求項４】
前記キャップ部の上面には、孔が設けられており、
前記人形部には、凸部が設けられており、
前記人形部の凸部が前記キャップ部の上面の孔に挿入されることにより、前記人形部が前記キャップ部に固定されることを特徴とする、請求項３に記載のドラッグボトル用キャップ。
【請求項５】
前記キャップ部の側面の内側には、鉛直方向に切り込みが形成されていることを特徴とする、請求項３に記載のドラッグボトル用キャップ。
【発明の詳細な説明】
【０００１】
【発明の属する技術分野】
本発明は、ドラッグボトル用キャップに関する発明であって、より特定的には、薬の瓶の蓋に被せられるドラッグボトル用キャップに関する発明である。
【０００２】
【従来の技術】
近年の健康ブームの影響により、薬局において販売される薬の種類が増加している。それに伴い、人は、薬を購入および服用する機会が多くなってきている。
【０００３】
【発明が解決しようとする課題】
ここで、薬の購入機会の増加に伴い、家庭で保管される薬の数も増加している。ところが、このように家庭で保管される薬には、サプリメントのように毎日服用される薬もあれば、病気のときのみ服用される薬もある。そのため、これらの薬を区別可能としたいという人々のニーズが存在する。
【０００４】
また、依然として、薬には、「苦い」、「まずい」といった悪いイメージが付きまとう。それ故、人は、あまり薬を服用したがらない。特に、子供に薬を服用させることは、その子供の親にとって一苦労である。
【０００５】
そこで、本発明の目的は、毎日服用される薬や病気の時のみ服用される薬が混在する場合であっても、特定の薬を人が区別可能とするためのドラッグボトル用キャップを提供することである。
【０００６】
また、本発明の別の目的は、薬の悪いイメージを軽減し、薬に対して人が親近感を持つことができるドラッグボトル用キャップを提供することである。
【０００７】
【課題を解決するための手段および発明の効果】
第１の発明は、薬の瓶の蓋に被せられるドラッグボトル用キャップであって、
薬の瓶の蓋を保護するキャップ部と、
キャップ部の上に設けられた人形部とを備える。
【０００８】
第１の発明によれば、ドラッグボトル用キャップが人形部を備えるので、ユーザは、特定の薬に当該ドラッグボトル用キャップを目印として被せることで、当該特定の薬を他の薬から区別することができるようになる。
【０００９】
第２の発明は、第１の発明に従属する発明であって、人形部は、キャップ部から取り外し可能であることを特徴とする。
【００１０】
第２の発明によれば、人形部がキャップ部から取り外し可能であるので、ユーザは、当該人形部のキャラクターを変更することができるようになる。その結果、ユーザは、当該ドラッグボトル用キャップを被せる薬に応じて、キャラクターを変更することができるようになる。
【００１１】
第３の発明は、第１の発明に従属する発明であって、キャップ部は、側面および上面を有し、かつ、底面を有さない円筒であることを特徴とする。
【００１２】
第３の発明によれば、キャップ部が、一般的な薬の瓶の蓋と同じ形である円筒形をしているので、広く一般の薬の瓶の蓋に当該ドラッグボトル用キャップを適用することができる。
【００１３】
第４の発明は、第３の発明に従属する発明であって、キャップ部の上面には、孔が設けられており、
人形部には、凸部が設けられており、
人形部の凸部がキャップ部の上面の孔に挿入されることにより、人形部がキャップ部に固定されることを特徴とする。
【００１４】
第４の発明によれば、凸部が孔に挿入されることで、人形部がキャップ部に固定されるので、さまざまなキャラクターの人形部の凸部のサイズを共通化させることで、当該人形部の互換性を持たせることが容易になる。
【００１５】
第５の発明は、第３の発明に従属する発明であって、キャップ部の側面の内側には、鉛直方向に切り込みが形成されていることを特徴とする。
【００１６】
第５の発明によれば、キャップ部の側面の内側に切り込みが形成されているので、当該切り込みと瓶の蓋に形成された切り込みとが噛み合ってキャップ部と瓶の蓋との間で滑りが生じにくくなる。その結果、ユーザは、当該キャップ部と当該瓶の蓋とを一体的に取り外すことが可能となる。
【００１７】
【発明の実施の形態】
以下に、本発明の一実施形態について図面を参照しながら説明する。図１は、本発明にかかるドラッグボトル用キャップの外観図である。当該ドラッグボトル用キャップは、人形部１００とキャップ部２００とを備える。人形部１００は、プラスチック製であり、キャップ部２００から取り外して、他のキャラクターの人形部１００と交換することが可能である。また、キャップ部２００は、プラスチック製であり、薬の瓶容器の蓋を保護する役割を果たす。
【００１８】
ここで、人形部１００について図面を参照しながら説明する。図２は、当該人形部１００の正面図である。当該人形部１００は、人形本体部３００と結合部４００とを備える。当該結合部４００は、キャップ部２００の中心に設けられた孔に挿入されることで、人形部１００をキャップ部２００に固定する役割を果たす。
【００１９】
次に、キャップ部２００について図面を参照しながら説明する。図３は、キャップ部２００の外観図である。また、図４は、当該キャップ部２００を図３のＡ−Ａ´における断面図である。当該キャップ部は、底面を有しない円筒形であり、その上面部の中央に孔５００が形成される。当該孔５００には、人形部１００に形成された結合部４００が挿入される。
【００２０】
以上のように構成されたドラッグボトル用キャップについて、以下にその使用方法について説明する。
【００２１】
まず、ユーザは、自分の好みのキャラクターの人形部１００を選択する。次に、ユーザは、選択した人形部１００の結合部４００を孔５００に挿入することで、キャップ部２００上に当該人形部１００を固定する。これにより、図１に示されるようなドラッグボトル用キャップが作成される。次に、ユーザは、図５に示されるように、薬の瓶容器の蓋に対してドラッグボトル用キャップを被せる。以上で、ドラッグボトル用キャップの使用方法についての説明を終了する。
【００２２】
以上のように、本実施形態にかかるドラッグボトル用キャップにおいて、ユーザは、当該ドラッグボトル用キャップを目印として薬の瓶の蓋に被せることで、特定の薬を他の薬から区別することが可能となる。より具体的には、ユーザは、毎日服用される薬にのみドラッグボトル用キャップがつけて、病気の時のみ服用される薬と毎日服用する薬とを区別することができる。なお、この場合、毎日服用される薬の代わりに病気の時のみ服用される薬に当該ドラッグボトル用キャップが取りつけられてもよい。
【００２３】
さらに、ユーザは、人形部１００のキャラクターを変更することで、所持する薬をより細かく分類することが可能である。より具体的には、父親の常備薬には、犬の人形のドラッグボトル用キャップが使用され、母親の常備薬には、猫の人形のドラッグボトル用キャップが使用されることで、父親の常備薬と母親の常備薬とを一見して区別することが可能となる。
【００２４】
また、本実施形態にかかるドラッグボトル用キャップによれば、愛嬌のあるキャラクターが人形部１００に適用されることで、ユーザが、薬に対して親近感を持ちやすくなる。その結果、薬の服用に対するユーザの抵抗感をなくすことができる。
【００２５】
また、本実施形態にかかるドラッグボトル用キャップによれば、薬の瓶容器の蓋に傷がつくことや汚れがつくことが防止される。これにより、ユーザは、きれいな状態で当該薬の瓶容器を長期間にわたり使用することが可能となる。
【００２６】
また、本実施形態にかかるドラッグボトル用キャップによれば、上部に人形が設けられるので、通常の薬の瓶容器の蓋に比べて美的効果があるといえる。そのため、ユーザは、当該ドラッグボトル用キャップをつけた薬の瓶容器を部屋などの飾りとして用いることも可能である。さらに、当該ドラッグボトル用キャップが、当該薬の販売時に当該薬のおまけとして用いられることで、当該薬の売上の向上が図られる。この場合、人形部３００を著名なキャラクターにすることで、より効果的に売上の向上が図られる。
【００２７】
なお、本実施形態では、人形部１００は、熊の人形であるとしたが、当該人形部１００の人形は、これに限られない。当該人形部１００は、ウサギの人形であってもよいし、動物でないものの人形であってもよい。
【００２８】
なお、本実施形態では、人形部１００とキャップ部２００とは、結合部４００を介して結合されるが、これらの結合方法は、これに限られない。例えば、人形部１００とキャップ部２００とは、接着剤により結合されてもよい。
【００２９】
なお、瓶容器の蓋に滑り止め用の切り込みが形成されている場合には、当該切り込みに対して結合しうる形状の切り込みを、キャップ部２００の側面の内側に形成してもよい。これにより、ユーザは、ドラッグボトル用キャップをつけたまま、瓶容器の蓋を回すことが可能となる。その結果、ユーザは、ドラッグボトル用キャップをつけたまま、当該瓶容器の蓋を取り外すことができるようになる。
【図面の簡単な説明】
【図１】本発明の一実施形態にかかるドラッグボトル用キャップの外観図である。
【図２】本発明の一実施形態にかかるドラッグボトル用キャップの人形部１００の外観図である。
【図３】本発明の一実施形態にかかるドラッグボトル用キャップのキャップ部２００の外観図である。
【図４】本発明の一実施形態にかかるドラッグボトル用キャップのキャップ部２００の断面図である。
【図５】本発明の位置実施形態にかかるドラッグボトル用キャップを、薬の瓶容器の蓋に被せたときの外観図である。
【符号の説明】
１００　人形部
２００　キャップ部
３００　人形本体部
４００　結合部
５００　孔
【図１】
2004026195.tif 000003
【図２】
2004026195.tif 000004
【図３】
2004026195.tif 000005
【図４】
2004026195.tif 000006
【図５】
2004026195.tif 000007